(57)【要約】【課題】収容空間内で回転する羽根部材の回転効率を低下させることなく、吸入口を介して収容空間内へ流体を吸入させると共に、該収容空間内から吐出口を介して流体を効率良くポンプ外へ吐出することができるポンプを提供する。【解決手段】ポンプ内には収容空間が形成されており、該収容空間内には軸線を中心に正逆両方向に回転可能な羽根部材が設けられている。また、ポンプには、前記羽根部材の回転平面と交差する方向から洗浄水を収容空間内に吸入する吸入口４２ａを有する吸入部４２が設けられている。吸入部４２には吸入通路４１が形成されており、該吸入通路４１の円弧通路部４１ｂは、羽根部材の回転方向（Ａ方向）に対応するように円弧状に形成されている。円弧通路部４１ｂにおける洗浄水の流動方向下流端には、前記収容空間内に向けて斜状をなす斜面４１ｄが形成されている。【選択図】      図４
2006177330.tif 000002
【特許請求の範囲】
【請求項１】
ポンプハウジング内の収容空間に所定軸線を中心に回転可能な羽根部材が収容され、前記ポンプハウジングには、前記羽根部材の回転に基づき前記ポンプハウジング外から前記収容空間内に流体を吸入するための吸入口を有する吸入部と、前記羽根部材の回転に基づき前記収容空間内の流体を前記ポンプハウジング外に吐出するための吐出口を有する吐出部とが設けられ、前記吸入部内にポンプハウジング外から流入した流体を前記羽根部材の回転平面と交差する方向から前記吸入口を介して前記収容空間内に吸入させるポンプにおいて、
前記吸入部内には、前記流体を前記羽根部材の回転平面に対して該羽根部材の回転方向の後方側から前方側に向かって下り勾配となる斜め方向から前記吸入口を介して前記収容空間内に吸入させるためのガイド手段が設けられたポンプ。
【請求項２】
前記吸入部は、該吸入部の下流端に設けられる前記吸入口と、該吸入口の上流側から前記吸入口まで前記流体を導くための吸入通路とを含んで構成されており、前記ガイド手段は、前記吸入通路を形成する通路内面のうち前記収容空間内に向けて斜状をなす斜面にて構成されている請求項１に記載のポンプ。
【請求項３】
前記吸入通路における前記斜面が形成された通路部分は、前記所定軸線を取り巻くように形成されている請求項２に記載のポンプ。
【請求項４】
前記吸入部は、該吸入部の下流端に設けられる前記吸入口と、該吸入口の上流側から前記吸入口まで前記流体を導くための吸入通路とを含んで構成されており、前記ガイド手段は、前記所定軸線を取り巻くように螺旋状に形成された吸入通路の通路内面により構成されている請求項１に記載のポンプ。
【発明の詳細な説明】
【技術分野】
【０００１】
本発明は、例えば食器洗い機等に設けられるポンプに関するものである。
【背景技術】
【０００２】
従来、この種のポンプとしては、例えば特許文献１に記載のポンプが提案されている。このポンプは、ポンプハウジング（ポンプケーシング）を備えており、該ポンプハウジング内の収容空間にはモータの回転駆動に基づき回転可能な羽根部材（インペラ）が設けられている。また、前記ポンプハウジングには、前記収容空間内に洗浄水（流体）を吸入するための吸入口を有する吸入部が形成されており、該吸入部は前記羽根部材の回転軸線（所定軸線）に沿う方向から洗浄水を前記収容空間内に吸入するようになっている。また、前記ポンプハウジングには、羽根部材の回転に基づき前記収容空間内の洗浄水をポンプハウジング外に吐出するための吐出口を有する吐出部が形成されている。
【特許文献１】特開平１１−３２９６２号公報（段落番号［００３２］、図１、図２）
【発明の開示】
【発明が解決しようとする課題】
【０００３】
ところで、前記ポンプでは、ポンプハウジング外から吸入部内に流入した洗浄水が、前記羽根部材の回転平面に略直交する方向から吸入口を介して前記収容空間内に吸入されることになる。すなわち、前記吸入口を介して収容空間内に流入してきた洗浄水は、その流入圧力が前記羽根部材の回転を妨げるように作用していた。そのため、前記ポンプでは、羽根部材の回転効率が低くなり、その結果、ポンプの吐出効率が低くなるという問題があった。
【０００４】
本発明は、このような事情に鑑みてなされたものである。その目的は、収容空間内で回転する羽根部材の回転効率を低下させることなく、吸入口を介して収容空間内へ流体を吸入させると共に、該収容空間内から吐出口を介して流体を効率良くポンプ外へ吐出することができるポンプを提供することにある。
【課題を解決するための手段】
【０００５】
上記目的を達成するために、請求項１に記載の発明は、ポンプハウジング内の収容空間に所定軸線を中心に回転可能な羽根部材が収容され、前記ポンプハウジングには、前記羽根部材の回転に基づき前記ポンプハウジング外から前記収容空間内に流体を吸入するための吸入口を有する吸入部と、前記羽根部材の回転に基づき前記収容空間内の流体を前記ポンプハウジング外に吐出するための吐出口を有する吐出部とが設けられ、前記吸入部内にポンプハウジング外から流入した流体を前記羽根部材の回転平面と交差する方向から前記吸入口を介して前記収容空間内に吸入させるポンプにおいて、前記吸入部内には、前記流体を前記羽根部材の回転平面に対して該羽根部材の回転方向の後方側から前方側に向かって下り勾配となる斜め方向から前記吸入口を介して前記収容空間内に吸入させるためのガイド手段が設けられたことを要旨とする。
【０００６】
請求項２に記載の発明は、請求項１に記載のポンプにおいて、前記吸入部は、該吸入部の下流端に設けられる前記吸入口と、該吸入口の上流側から前記吸入口まで前記流体を導くための吸入通路とを含んで構成されており、前記ガイド手段は、前記吸入通路を形成する通路内面のうち前記収容空間内に向けて斜状をなす斜面にて構成されていることを要旨とする。
【０００７】
請求項３に記載の発明は、請求項２に記載のポンプにおいて、前記吸入通路における前記斜面が形成された通路部分は、前記所定軸線を取り巻くように形成されていることを要旨とする。
【０００８】
請求項４に記載の発明は、請求項１に記載のポンプにおいて、前記吸入部は、該吸入部の下流端に設けられる前記吸入口と、該吸入口の上流側から前記吸入口まで前記流体を導くための吸入通路とを含んで構成されており、前記ガイド手段は、前記所定軸線を取り巻くように螺旋状に形成された吸入通路の通路内面により構成されていることを要旨とする。
【発明の効果】
【０００９】
本発明によれば、収容空間内で回転する羽根部材の回転効率を低下させることなく、吸入口を介して収容空間内へ流体を吸入させると共に、該収容空間内から吐出口を介して流体を効率良くポンプ外へ吐出することができる。
【発明を実施するための最良の形態】
【００１０】
以下、本発明を食器洗い機用のポンプに具体化した一実施形態を図１〜図７に従って説明する。
図１に示すように、本実施形態の食器洗い機１０は、機本体１１内に、食器Ｄを洗浄する洗浄室１２と該洗浄室１２の下方に位置するポンプ室１３とを備えている。前記洗浄室１２とポンプ室１３とは、機本体１１内の内部スペース１４を仕切り板１５で上下に仕切ることにより区画形成されている。なお、以下における本明細書中の説明において、「上下左右方向」は図１における上下左右方向を示すものとする。
【００１１】
前記洗浄室１２には、食器Ｄを配置するための食器籠１６が収容され、該食器籠１６は、水平方向（図１では左右方向）に延びるレール１７上にスライド移動可能に戴置されている。また、洗浄室１２の下部には、食器Ｄを洗浄する際に洗浄水（流体）を洗浄室１２内に噴射するためのノズル１８が回転可能な態様で配設されている。このノズル１８の上面には、複数の孔（図示略）が形成されており、ノズル１８の下面側からは、前記仕切り板１５を貫通形成してポンプ室１３内まで延びるように洗浄管路１９が設けられている。この洗浄管路１９は、ノズル１８の内部空間（図示略）を介して前記ノズル１８上面の各孔と繋がっている。そのため、洗浄室１２内の食器Ｄを洗浄する際には、洗浄管路１９を介してポンプ室１３側から供給された洗浄水が前記ノズル１８上面の各孔から洗浄室１２内に噴射されるようになっている。
【００１２】
また、前記洗浄室１２の左側には、機本体１１の側壁の一部を構成すると共に、機本体１１に対して開閉可能に形成された開閉扉２０が設けられている。そして、この開閉扉２０は、食器Ｄを洗浄室１２内の食器籠１６に配置する際や洗浄後に食器Ｄを洗浄室１２から外部へ取り出す際等に開放され、それら以外の時には閉じられるようになっている。また、洗浄室１２の右側には、所定容量の洗浄水を機本体１１の外部から洗浄室１２内に注入するための注入通路２１が形成されている。また、洗浄室１２の底部には、該洗浄室１２から洗浄水をポンプ室１３に流下させて吸入するための取水口２２が設けられており、該取水口２２には、食器Ｄに付着した残飯等が洗浄水と共にポンプ室１３に吸入されないようにするべく、残飯等を取り除くフィルタＦが配設されている。
【００１３】
一方、前記ポンプ室１３には、前記洗浄室１２から取水口２２を介して流下する洗浄水を貯留するための貯留槽２３が設けられている。また、貯留槽２３の側方（図１における右側）にはポンプＰが収容配置されており、該ポンプＰは吸水管路２４を介して前記貯留槽２３と連結されている。そのため、貯留槽２３内に一旦貯留された洗浄水は、吸水管路２４を介してポンプＰ内に水平方向から吸水されることになる。そして、洗浄室１２内の食器Ｄを洗浄する場合には、前記ポンプＰの駆動に基づきポンプＰ内から洗浄水が前記洗浄管路１９を介して前記ノズル１８に供給され、当該ノズル１８上面の各孔から洗浄室１２内に噴射される。一方、前記洗浄水を排水する場合には、前記ポンプＰの駆動に基づきポンプＰ内から洗浄水が、該ポンプＰと所定の水頭差を持つように配設された排水管路２５に導出され、該排水管路２５を介して機本体１１外に排水される。
【００１４】
次に、前記ポンプＰの具体的構成について説明する。
前記ポンプＰは、図２に示すように、モータ部２６とポンプ部２７とから構成されている。モータ部２６は、図示しない電源に接続されたモータ（例えば直流モータ）Ｍを備えてなり、該モータＭの内部には、回転子及び固定子（共に図示略）が配設されている。前記回転子には、モータ部２６（モータＭ）の内部からポンプ部２７内まで延びるシャフト２８が固着されている。そして、本実施形態では、モータＭの固定子に供給される電流の方向に対応して、前記回転子がシャフト２８と共に該シャフト２８の軸線（所定軸線）Ｓを回転中心にして正逆両方向に回転するようになっている。
【００１５】
一方、前記ポンプ部２７は、前記モータＭが載置固定される上側ポンプハウジング２９と、この上側ポンプハウジング２９の下面側に取り付けられる円環状をなすリングプレート３０と、このリングプレート３０を挟んで前記上側ポンプハウジング２９に組み付けられる下側ポンプハウジング３１とを備えている。上側ポンプハウジング２９の下面側において前記モータＭの直下となる部分には、前記リングプレート３０の外周形状に対応した形状をなすプレート用凹部２９ａが形成されている。そして、前記リングプレート３０は、このプレート用凹部２９ａ内に嵌合され、図示しないねじによって前記上側ポンプハウジング２９に締付け固定されている。
【００１６】
また、上側ポンプハウジング２９と下側ポンプハウジング３１とは、両者間にＯリング３２を介在させた状態で一体化するように組み付けられる。そして、その一体組み付け状態において、前記上側ポンプハウジング２９の上面側に前記モータＭが複数本（図２では２本のみ図示）のねじ３３にて接合固定されることにより、ポンプ部２７とモータ部２６とが一体結合する構成とされている。また、こうして上側ポンプハウジング２９、リングプレート３０及び下側ポンプハウジング３１がＯリング３２を介在させて一体組み付けされることにより、下側ポンプハウジング３１の上面側において前記リングプレート３０の直下となる部分に凹設されている収容空間３４が密封空間とされる。
【００１７】
また、前記上側ポンプハウジング２９において前記リングプレート３０の内周縁３０ａの内側となる部分には、前記シャフト２８を挿通可能とする貫通孔２９ｂが形成されている。そして、前記ポンプ部２７がモータ部２６に一体結合された状態において、モータ部２６側から延びたシャフト２８が上側ポンプハウジング２９の前記貫通孔２９ｂを挿通して下側ポンプハウジング３１の前記収容空間３４内まで延設されている。そして、この下側ポンプハウジング３１の収容空間３４内において、前記シャフト２８の先端（下端）には、羽根部材３５が取り付けられている。
【００１８】
前記羽根部材３５は、図３に示すように、略円盤形状をなす円盤部３６と、該円盤部３６の中央付近に形成されたハブ部３７と、該ハブ部３７の外周面３７ａから外周方向に延びる複数枚（本実施形態では１０枚）の板状をなす羽根部３８とから構成されている。そして、ハブ部３７の略中央には前記上側ポンプハウジング２９の貫通孔２９ｂと同軸配置となる貫通孔３７ｂが形成されており、前記羽根部材３５は、この貫通孔３７ｂに前記シャフト２８が嵌合されることにより、シャフト２８に対して固定支持されるようになっている。そのため、前記羽根部材３５は、前記モータＭの回転駆動に基づきシャフト２８が回転した場合には、該シャフト２８と共に前記軸線Ｓを中心に正逆両方向（図３に示すＡ方向及びＢ方向）に回転するようになっている。なお、本実施形態の各羽根部３８は、軸線Ｓ側から外周方向に延びるにつれて、Ａ方向（正方向）を回転方向前方側とした場合において次第に回転方向後方（Ｂ方向）側へ傾斜した羽根形状（所謂、後退翼形状）に形成されている。
【００１９】
また、前記上側ポンプハウジング２９には、前記貫通孔２９ｂを中心とした部位を下方に向けて窪ませたボス３９が形成されており、該ボス３９の裏面側（すなわち、上面側）に凹み形成された凹部３９ａ内には、複数（本実施形態では２つ）のリング状をなすオイルシール４０が介装されている。そして、前記貫通孔２９ｂを挿通するシャフト２８の外周面が各オイルシール４０によりシールされるようになっている。
【００２０】
また、前記上側ポンプハウジング２９の下面側には、前記吸水管路２４と上流端側が連通する吸入通路４１が形成されている。前記吸入通路４１は、図４に示すように、洗浄水の流動方向上流側（図４では左側）から前記ボス３９の形成部位に向けて真っ直ぐに延びる直線通路部４１ａと、ボス３９を取り巻く円弧状に形成された円弧通路部４１ｂとから構成されている。前記円弧通路部４１ｂは、その下流端が前記羽根部材３５の回転方向である正逆両方向のうちＡ方向（図４では時計回りの方向）を指向するように形成されている。また、直線通路部４１ａと円弧通路部４１ｂとの連通部位と、円弧通路部４１ｂの下流端との間には、円弧通路部４１ｂ内を流動方向下流端まで流動した洗浄水が、前記直線通路部４１ａと円弧通路部４１ｂとの連通部位に再び流入することを規制するための隔壁部４１ｃが設けられている。
【００２１】
そして、前記羽根部材３５の回転に基づき発生した吸引力に従って前記吸入通路４１内を直線通路部４１ａ側から円弧通路部４１ｂへと流動した洗浄水は、前記リングプレート３０の内周縁３０ａと前記ボス３９の外周面３９ｂとの間のリング状の隙間を介して前記収容空間３４内に吸入されるようになっている。すなわち、本実施形態では、前記リングプレート３０の内周縁３０ａと前記ボス３９の外周面３９ｂとの間のリング状の隙間により吸入口４２ａが構成されている。この吸入口４２ａは、前記吸入通路４１の下流端に設けられるものであり、前記円弧通路部４１ｂ内を流動した洗浄水は、前記軸線Ｓと直交する前記羽根部材３５の回転平面４３と交差する方向から、当該吸入口４２ａを介して収容空間３４内に吸入される。そして、本実施形態では、前記吸入口４２ａと吸入通路４１とにより前記羽根部材３５の回転に基づきポンプＰ外から収容空間３４内に洗浄水（流体）を吸入するための吸入部４２が構成されている。
【００２２】
また、前記吸入通路４１（円弧通路部４１ｂ）の下流端側において円弧通路部４１ｂを形成する通路内面（詳しくは、前記収容空間３４と上下方向で対向する通路内面であって、図５及び図６では上面）は、図５及び図６に示すように、前記収容空間３４内に向けて斜状をなす斜面４１ｄに形成されている。そのため、前記吸入通路４１（円弧通路部４１ｂ）内を斜面４１ｄに沿って下流方向へ流動した洗浄水は、前記羽根部材３５の正逆両方向への回転のうちＡ方向への回転時において、該回転方向の後方（Ｂ方向）側から前方（Ａ方向）側に向かって下り勾配となる斜め方向から前記収容空間３４内に吸入されることになる。すなわち、本実施形態では、円弧通路部４１ｂの斜面４１ｄが前記吸入通路４１内を流動する洗浄水（流体）を前記羽根部材３５の回転平面４３に対して羽根部材３５の回転方向の後方側から前方側に向かって下り勾配となる斜め方向から前記吸入口４２ａを介して前記収容空間３４内に吸入させるガイド手段として機能するようになっている。
【００２３】
ここで、収容空間３４内まで延設されたシャフト２８と上側ポンプハウジング２９の貫通孔２９ｂとの間には、シャフト２８及び羽根部材３５の回転を許容するために僅かな隙間（クリアランス）が存在する。しかし、上述したように、シャフト２８におけるモータＭと収容空間３４との間の軸方向位置には、前記ボス３９の凹部３９ａ内に介装された各オイルシール４０が嵌合状態で取り付けられている。そのため、このオイルシール４０のシール機能により、収容空間３４側からシャフト２８の外周面を伝ってモータＭ側へ洗浄水が漏れ入ることが抑制される。この点で、前記ボス３９及び各オイルシール４０は、前記収容空間３４内の洗浄水がシャフト２８に沿ってモータＭ内に漏れ入ることを抑制する軸封部４４として機能する。
【００２４】
前記下側ポンプハウジング３１の周壁部３１ａ（具体的には、前記収容空間３４を取り巻く周壁部分から径方向外側へ突出するように張り出された周壁部分）には、第１吐出口４５ａが形成されており、前記上側ポンプハウジング２９には、前記洗浄管路１９に対する連結部４５ｂが上方に向けて突出形成されている。この第１吐出口４５ａと連結部４５ｂとは下側ポンプハウジング３１及び上側ポンプハウジング２９に渡って形成された図示しない通路を介して連通されている。そして、本実施形態では、この第１吐出口４５ａ及び連結部４５ｂにより前記羽根部材３５のＡ方向への回転に基づき前記収容空間３４内の洗浄水をポンプＰ外（洗浄室１２内）に吐出するための第１吐出部４５が構成されている。
【００２５】
また、前記下側ポンプハウジング３１の周壁部３１ａにおいて、前記第１吐出口４５ａから見て周方向へ所定角度離間した位置（図３では反時計方向へ略４５度離間した位置）には、第２吐出口４６ａが形成されると共に、前記排水管路２５に対する連結部４６ｂが前記シャフト２８の径方向に向けて突出形成されている。そして、本実施形態では、この第２吐出口４６ａ及び連結部４６ｂにより前記羽根部材３５のＢ方向への回転に基づき前記収容空間３４内の洗浄水をポンプＰ外（食器洗い機１０の外部）に吐出するための第２吐出部４６が構成されている。
【００２６】
前記第２吐出口４６ａは、その通路断面積が前記第１吐出口４５ａの通路断面積よりも小さくなるように形成されている。また、本実施形態のモータＭは、前記羽根部材３５の正逆両方向（Ａ方向及びＢ方向）への回転のうちＡ方向への回転がＢ方向への回転よりも速くなるように設定されている。そのため、羽根部材３５をＡ方向へ回転させた場合における第１吐出口４５ａから前記洗浄室１２内への単位時間あたりの洗浄水の吐出量が、羽根部材３５をＢ方向へ回転させた場合における第２吐出口４６ａから食器洗い機１０外への単位時間あたりの洗浄水の吐出量よりも多くなるようになっている。
【００２７】
また、前記下側ポンプハウジング３１内において前記周壁部３１ａの内周面と前記羽根部材３５の外周縁３５ａとの間には、前記収容空間３４内で洗浄水を羽根部材３５の回転方向と同一方向へ流動させるための流体通路４７が円弧状に形成されている。そして、前記収容空間３４内の洗浄水は、前記羽根部材３５がＡ方向に回転した場合には流体通路４７内をＡ方向に流動し、前記羽根部材３５がＢ方向に回転した場合には流体通路４７内をＢ方向に流動するようになっている。なお、前記羽根部材３５の外周縁３５ａとは、前記羽根部材３５の構成要素である円盤部３６の外周縁に対応するものであり、同じく前記羽根部材３５の構成要素である各羽根部３８の先端の回転軌跡のことを示している。
【００２８】
また、前記下側ポンプハウジング３１の周壁部３１ａのうち周方向において前記第１吐出口４５ａと第２吐出口４６ａとの間となる部分は、その内面（すなわち、羽根部材３５の外周縁３５ａとの対向面）４８ａが、前記羽根部材３５の外周縁３５ａに近接するように、周壁部３１ａの壁厚が内周側へ厚く形成された誘導規制部４８とされている。すなわち、この部分には、前記流体通路４７よりも小さい通路断面積を有するクリアランス４７ａが形成されており、該クリアランス４７ａは羽根部材３５の回転を許容するだけの僅かな通路断面積しか有していない。そのため、羽根部材３５がＡ方向へ回転した場合、前記流体通路４７に沿って第１吐出口４５ａ側へと導水（誘導）された洗浄水の大部分は、前記誘導規制部４８により第２吐出口４６ａ側へと更に導水されるのを規制される。一方、羽根部材３５がＢ方向へ回転した場合には、前記流体通路４７に沿って第２吐出口４６ａ側へと導水（誘導）された洗浄水の大部分は、同様に前記誘導規制部４８によって第１吐出口４５ａ側へと更に導水されるのを規制されるようになっている。
【００２９】
前記誘導規制部４８には、図７に示すように、前記流体通路４７と第１吐出口４５ａとの間において前記周壁部３１ａに向けて延びる第１突壁部４９が突設されている。この第１突壁部４９は、その内面（すなわち、羽根部材３５の外周縁３５ａとの対向面）４９ａが誘導規制部４８の円弧面状をなす内面４８ａの延長方向に沿うように形成されている。そのため、前記クリアランス４７ａの通路幅は、第１突壁部４９の形成部分においても変更されないようになっている。そして、前記流体通路４７と第１吐出口４５ａとの間（すなわち、第１吐出口４５ａの直前）であって前記第１突壁部４９の先端４９ｂ側には、第１吐出口４５ａの通路断面積よりも小さい通路断面積を有する第１狭小領域（図３及び図７にて一点鎖線で示す領域）５０が形成されている。前記第１突壁部４９は、第１狭小領域５０から第１吐出口４５ａまでの通路断面積が次第に大きくなるように形成されている。
【００３０】
また、前記第１突壁部４９における周方向の先端４９ｂと前記軸線Ｓとを結ぶ直線Ｓ１をＡ方向（図７では反時計回りの方向）に所定角度だけ回転させた場合、直線Ｓ１の延びる方向は、前記第１吐出口４５ａにおける周方向の両端部のうち前記誘導規制部４８から遠い方の端部と前記軸線Ｓとを結ぶ直線Ｓ２の延びる方向と一致するようになっている。すなわち、第１突壁部４９は、該第１突壁部４９が対応する第１吐出口４５ａを前記羽根部材３５の軸線（所定軸線）Ｓから見た場合に、当該第１吐出口４５ａを非視認状態とするように（すなわち、視認できないように）、その先端４９ｂが周方向へ突出形成されていることになる。
【００３１】
また、前記誘導規制部４８には、図７に示すように、前記流体通路４７と第２吐出口４６ａとの間において前記周壁部３１ａに向けて延びる第２突壁部５１が突設されている。前記第２突壁部５１は、前記羽根部材３５の外周縁３５ａに沿って延びると共に、その内面（すなわち、羽根部材３５の外周縁３５ａとの対向面）５１ａが誘導規制部４８の円弧面状をなす内面４８ａの延長方向に沿うように形成されている。そのため、前記クリアランス４７ａの通路幅は、第２突壁部５１の形成部分においても変更されないようになっている。そして、前記流体通路４７と第２吐出口４６ａとの間（すなわち、第２吐出口４６ａの直前）であって前記第２突壁部５１の先端５１ｂ側には、該第２吐出口４６ａの通路断面積よりも小さい通路断面積を有する第２狭小領域（図３及び図７にて一点鎖線で示す領域）５２が形成されている。そして更に、この第２狭小領域５２は、その通路断面積が前記第１狭小領域５０の通路断面積よりも小さくなるように形成されている。
【００３２】
また、前記第２突壁部５１における周方向の先端５１ｂと前記軸線Ｓとを結ぶ直線Ｓ３をＢ方向（図７では時計回りの方向）に所定角度だけ回転させた場合、直線Ｓ３の延びる方向は、前記第２吐出口４６ａにおける周方向の両端部のうち前記誘導規制部４８から遠い方の端部と前記軸線Ｓとを結ぶ直線Ｓ４の延びる方向と一致するようになっている。すなわち、第２突壁部５１もまた、該第２突壁部５１が対応する第２吐出口４６ａを前記羽根部材３５の軸線（所定軸線）Ｓから見た場合に、当該第２吐出口４６ａを非視認状態とするように、その先端５１ｂが周方向へ突出形成されていることになる。
【００３３】
次に、以上のように構成された本実施形態の食器洗い機１０におけるポンプＰの作用について以下説明する。
始めに、羽根部材３５がＡ方向に回転した場合について説明する。
【００３４】
まず、モータＭの回転駆動に基づき羽根部材３５がＡ方向に回転すると、吸入部４２内に流入した洗浄水は吸入通路４１内を流動する。すると、吸入部４２は、吸入通路４１の直線通路部４１ａから円弧通路部４１ｂへと洗浄水を通路内面に沿って流動させる。そして、前記円弧通路部４１ｂ内においては、該円弧通路部４１ｂの通路内面に沿って洗浄水を前記羽根部材３５の軸線Ｓを中心に螺旋状に流動させる。また、円弧通路部４１ｂ内を流動方向下流端側まで流動した洗浄水を前記斜面４１ｄに沿わせて前記収容空間３４内に吸入させる。すなわち、羽根部材３５の回転方向の後方側から前方側に向かって下り勾配となる斜め方向から吸入口４２ａを介して洗浄水を収容空間３４内に吸入させる。そのため、羽根部材３５は、Ａ方向に回転する場合、吸入口４２ａを介して収容空間３４内に吸入された洗浄水の勢いを利用しつつ、該洗浄水を流体通路４７内に導くことになる。
【００３５】
そして、前記羽根部材３５は、そのＡ方向への回転駆動によって、収容空間３４内に吸入された洗浄水に遠心力を働かせることにより、該洗浄水を羽根部材３５の回転の中心である軸線Ｓから放射する方向に流動させる。すると、前記軸線Ｓから放射する方向に流動した洗浄水の大部分は、流体通路４７内に導かれ、該流体通路４７内を羽根部材３５の回転方向であるＡ方向に沿って流動する。
【００３６】
ここで、前記羽根部材３５のＡ方向への回転駆動によって前記軸線Ｓから放射する方向に流動した洗浄水の一部が下側ポンプハウジング３１の周壁部３１ａに形成された第２吐出口４６ａへ直接流入するということも考えられる。しかし、本実施形態では、前記軸線Ｓから見た際に前記第２吐出口４６ａが見えないように、第２突壁部５１が誘導規制部４８から周方向へ突設されている。そのため、羽根部材３５の回転に基づき前記軸線Ｓから放射する方向に流動した洗浄水が第２吐出口４６ａに直接流入することはなく、流体通路４７内をＡ方向に向けて流動することになる。
【００３７】
そして、前記羽根部材３５のＡ方向への回転に基づき流体通路４７内をＡ方向に流動して第１吐出口４５ａ近傍まで導かれた洗浄水は、その大部分が誘導規制部４８により第２吐出口４６ａ側への流動を規制される。従って、誘導規制部４８によって第２吐出口４６ａ側にさらに流動することが規制された洗浄水は、第１吐出口４５ａ（第１吐出部４５）及び洗浄管路１９を介して洗浄室１２内に吐出（噴射供給）される。
【００３８】
一方、第１吐出口４５ａ近傍まで導かれた洗浄水のうち一部の洗浄水は、誘導規制部４８の内面４８ａと羽根部材３５の外周縁３５ａとの間の狭いクリアランス４７ａ内を更にＡ方向に流動して第２吐出口４６ａ側に導かれる。そして、クリアランス４７ａ内を通過し終わった洗浄水は、該クリアランス４７ａの通路断面積よりも大きい通路断面積を有する流体通路４７内に向けて勢い良く流出される。すると、前記第２突壁部５１の先端５１ｂ近傍に形成された第２狭小領域５２においては、前記クリアランス４７ａ内から洗浄水が勢い良く流出されたことに基づき、その雰囲気圧力が第２吐出口４６ａの雰囲気圧力よりも低圧となる。従って、たとえ収容空間３４内の洗浄水の一部が第２吐出口４６ａに至ったとしても、その洗浄水は、雰囲気圧力が第２吐出口４６ａよりも低圧である第２狭小領域５２まで引き戻されることになる。そして、第２狭小領域５２まで引き戻された洗浄水は、前記クリアランス４７ａ内から流体通路４７側に向けて勢い良く放出された洗浄水と共に流体通路４７内に導かれ、再び流体通路４７内をＡ方向に流動することになる。
【００３９】
次に、前記羽根部材３５がＢ方向に回転した場合について説明する。
前記モータＭの回転駆動に基づき羽根部材３５がＢ方向に回転すると、吸入部４２内に流入した洗浄水は吸入通路４１内を流動した後、吸入口４２ａを介して収容空間３４内に吸入される。そして、収容空間３４内に吸入された洗浄水は、前記羽根部材３５のＢ方向への回転に基づき前記流体通路４７内をＢ方向に流動し、第２吐出口４６ａ近傍まで導かれる。この際に、前記誘導規制部４８は、第２吐出口４６ａ近傍まで導かれた洗浄水の大部分が誘導規制部４８の内面４８ａと羽根部材３５の外周縁３５ａとの間に形成されたクリアランス４７ａ内を更にＢ方向に流動することを規制する。従って、誘導規制部４８によって第１吐出口４５ａ側にさらに流動することが規制された洗浄水は、第２吐出口４６ａ（第２吐出部４６）及び排水管路２５を介して食器洗い機１０外に吐出（排水）される。
【００４０】
一方、第２吐出口４６ａ近傍まで導かれた洗浄水のうち一部の洗浄水は、誘導規制部４８によってさらなる流動が規制されずに、前記クリアランス４７ａ内をＢ方向に流動して第１吐出口４５ａ側に導かれる。そして、クリアランス４７ａ内を通過し終わった際には、該クリアランス４７ａの通路断面積よりも大きい通路断面積を有する流体通路４７内に向けて洗浄水が勢い良く流出される。すると、前記第１突壁部４９の先端４９ｂ近傍に形成された第１狭小領域５０においては、前記クリアランス４７ａ内から洗浄水が勢い良く流出されたことに基づき、その雰囲気圧力が第１吐出口４５ａの雰囲気圧力よりも低圧となる。従って、たとえ収容空間３４内の洗浄水の一部が第１吐出口４５ａに至ったとしても、その洗浄水は、雰囲気圧力が第１吐出口４５ａよりも低圧である第１狭小領域５０まで引き戻されることになる。そして、第１狭小領域５０まで引き戻された洗浄水は、前記クリアランス４７ａ内から流体通路４７側に向けて勢い良く放出された洗浄水と共に流体通路４７内に導かれ、再び流体通路４７内をＢ方向に流動することになる。
【００４１】
ここで、前記羽根部材３５は、そのＢ方向への回転速度がＡ方向への回転速度よりも遅くなるように設定されている。また、前記第１狭小領域５０は、その通路断面積が第２狭小領域５２の通路断面積よりも大きい。そのため、羽根部材３５がＢ方向に回転した場合における第１狭小領域５０と第１吐出口４５ａとの圧力差は、羽根部材３５がＡ方向に回転した場合における第２狭小領域５２と第２吐出口４６ａとの圧力差よりも小さくなる。従って、羽根部材３５がＢ方向に回転した場合、第１吐出口４５ａに至った洗浄水の一部は、第１狭小領域５０側に引き戻されることなく、洗浄管路１９側に導かれる場合もあり得る。しかし、本実施形態では、洗浄管路１９が上下方向に延びているため（図１参照）、前記第１吐出口４５ａから漏れ出た洗浄水が洗浄管路１９を介して洗浄室１２側に吐出されることはほとんどない。
【００４２】
従って、本実施形態では、以下に示す効果を得ることができる。
（１）第２吐出口４６ａと流体通路４７との間には、第２吐出口４６ａの通路断面積よりも小さい通路断面積を有する第２狭小領域５２が形成されている。そして、羽根部材３５が軸線Ｓを中心にＡ方向に回転した場合、第２狭小領域５２は、その雰囲気圧力が第２吐出口４６ａの雰囲気圧力よりも低圧となる。そのため、羽根部材３５がＡ方向へ回転した際に収容空間３４内の洗浄水（流体）が第２吐出口４６ａまで至ったとしても、その洗浄水は、第２狭小領域５２に確実に引き戻される。従って、２つある吐出口４５ａ，４６ａのうち、第１吐出口（一方の吐出口）４５ａから洗浄水を吐出させる方向（Ａ方向）へ羽根部材３５が回転した場合には、第２吐出口（他方の吐出口）４６ａから洗浄水がポンプＰの外部に吐出されることを確実に規制できる。
【００４３】
（２）もし仮に各突壁部４９，５１が下側ポンプハウジング３１の周壁部３１ａから誘導規制部４８に向けて突設されていたとする。すると、羽根部材３５のＡ方向（又はＢ方向）への回転に基づき流体通路４７内をＡ方向（又はＢ方向）に流動して吐出口４５ａ，４６ａ近傍まで導かれた洗浄水（流体）は、突壁部４９，５１が該洗浄水に対して障害物として機能してしまい、ポンプＰ外への速やかな吐出が妨害される可能性がある。しかし、本実施形態の各突壁部４９，５１は、誘導規制部４８から前記周壁部３１ａに向けてそれぞれ突設されているため、羽根部材３５の回転に基づき吐出口４５ａ，４６ａ近傍まで導かれた洗浄水のポンプＰ外への速やかな吐出を妨害することはない。
【００４４】
（３）各突壁部４９，５１は、羽根部材３５の軸線（所定軸線）Ｓから見た場合、各吐出口４５ａ，４６ａが見えないように形成されている。そのため、羽根部材３５の回転に基づき軸線（所定軸線）Ｓから放射する方向へ流動する洗浄水（流体）が流体通路４７内を流動することなく各吐出口４５ａ，４６ａに直接流入してしまうことを確実に抑制できる。
【００４５】
（４）もし仮に誘導規制部４８の内面４８ａと羽根部材３５の外周縁３５ａとの間の隙間よりも各突壁部４９，５１の内面４９ａ，５１ａと羽根部材３５の外周縁３５ａとの間の隙間の方が広くなるように各突壁部４９，５１を形成したとする。すると、本実施形態の場合に比して、羽根部材３５の回転に基づき流体通路４７内を吐出口４５ａ，４６ａ側まで導かれた洗浄水（流体）のうちクリアランス４７ａ側に導かれる洗浄水の量が増加することになる。しかし、本実施形態では、各突壁部４９，５１の内面４９ａ，５１ａが誘導規制部４８の円弧面状をなす内面４８ａの延長方向に沿うように形成されているため、羽根部材３５の回転に基づき流体通路４７内を流動した洗浄水がクリアランス４７ａ側に導かれることを極力回避でき、効率良く収容空間３４内の洗浄水をポンプＰの外部に吐出できる。
【００４６】
（５）羽根部材３５は、Ａ方向に回転する場合、吸入部４２内の斜面（ガイド手段）４１ｄにガイドされて収容空間３４内に吸入された洗浄水（流体）の勢いを利用することができる。すなわち、従来のように羽根部材３５の回転の中心である軸線（所定軸線）Ｓの軸方向に沿う方向から洗浄水を吸入する場合に比して、羽根部材３５にかかる負担を低減させつつ、吸入した洗浄水を流体通路４７内でＡ方向に流動させることができる。従って、羽根部材３５の回転効率を低下させることなく、吸入口４２ａを介して洗浄水を収容空間３４内に吸入させ、また、吸入された洗浄水を各吐出口４５ａ，４６ａから効率良くポンプＰ外へ吐出することができる。
【００４７】
（６）吸入部４２内の洗浄水（流体）を収容空間３４内にガイドするためのガイド手段（斜面４１ｄ）を、吸入部４２内に形成された吸入通路４１（円弧通路部４１ｂ）の下流端における通路内面を収容空間３４側に向けて傾斜させるという非常に簡単な構成で実現することができる。
【００４８】
（７）吸入通路４１のうち円弧通路部４１ｂは、羽根部材３５の回転方向のうちＡ方向に対応するように、羽根部材３５の軸線Ｓを取り巻くように形成されている。そのため、吸入部４２内の洗浄水（流体）は、羽根部材３５の回転方向（Ａ方向）に沿うように収容空間３４内に吸入されることになる。従って、羽根部材３５は、その回転方向に沿うように吸入口４２ａを介して収容空間３４内に吸入された洗浄水（流体）をより効率良くポンプＰの外部に吐出させることができる。
【００４９】
なお、本実施形態は以下のような別の実施形態（別例）に変更してもよい。
・前記実施形態において、第１突壁部４９は、その先端４９ｂと羽根部材３５の回転の中心となる軸線Ｓとを結ぶ直線Ｓ１の延びる方向が前記直線Ｓ２の延びる方向と一致するように形成されたものであってもよい。同様に、第２突壁部５１は、その先端５１ｂと前記軸線Ｓとを結ぶ直線Ｓ３の延びる方向が直線Ｓ４の延びる方向と一致するように形成されたものであってもよい。
【００５０】
・前記実施形態において、第２突壁部５１は、図８に示すように、その内面５１ａが誘導規制部４８の内面４８ａよりも羽根部材３５の径方向外側となるように突設されたものであってもよい。同様に、第１突壁部４９もまた、その内面４９ａが誘導規制部４８の内面４８ａよりも羽根部材３５の径方向外側となるように突設されたものであってもよい。
【００５１】
・前記実施形態において、各突壁部４９，５１は、流体通路４７と吐出口４５ａ，４６ａとの間に狭小領域５０，５２を形成できる構成であれば、羽根部材３５の外周縁３５ａに沿った形状のものでなくてもよい。
【００５２】
・前記実施形態において、第２突壁部５１は、図９に示すように、周壁部３１ａから誘導規制部４８側に向けて突設されたものであってもよい。同様に、第１突壁部４９もまた、周壁部３１ａから誘導規制部４８側に向けて突設されたものであってもよい。
【００５３】
・前記実施形態において、吸入部４２は、図１０に示すように、その吸入口４２ａがモータＭのシャフト２８を径方向から取り囲むように構成されてなくてもよい。すなわち、リングプレート３０に、吸入口４２ａとシャフト２８が挿通する挿通孔６０とをそれぞれ形成するようにしてもよい。
【００５４】
・前記実施形態において、吸入部４２は、図１１に示すように、シャフト２８の軸方向（上下方向）において、収容空間３４の設けられる軸方向位置と同じ軸方向位置に設けられてもよい。この場合、収容空間３４内には、羽根部材３５の側方から（つまり、軸方向と直交する方向から）洗浄水が吸入されることになる。
【００５５】
・前記実施形態において、吸入通路は、図１２に示すように、吸水管路２４に連結された吸入用配管６１であってもよい。この吸入用配管６１は、ボス３９（及び軸線Ｓ）を取り巻くように螺旋状に形成されており、その先端部（吸入口）６１ａから洗浄水が収容空間３４内に吸入されることになる。このように構成した場合、吸入用配管６１が吸入部として機能し、該吸入用配管６１の螺旋状をなす通路内面がガイド手段を構成することになる。
【００５６】
次に、上記実施形態及び別例から把握できる技術的思想について以下に追記する。
（イ）前記ガイド手段は、前記吸入口を介した前記流体の前記収容空間内への流入方向が前記吐出口の設けられた方向を指向するように設けられている請求項１〜請求項４のうち何れか一項に記載のポンプ。
【図面の簡単な説明】
【００５７】
【図１】本実施形態における食器洗い機の概略縦断面図。
【図２】本実施形態におけるポンプの一部断面図。
【図３】図２における３−３線矢視断面図。
【図４】本実施形態における上側ポンプハウジングの底面図。
【図５】図４における５−５線矢視断面図。
【図６】図４における６−６線矢視断面図。
【図７】本実施形態における下側ポンプハウジングの平面図。
【図８】別例の第２突壁部の構成を説明する一部拡大図。
【図９】他の別例の第２突壁部の構成を説明する一部拡大図。
【図１０】別例のポンプを示す一部断面図。
【図１１】他の別例のポンプ内に形成された収容空間内の様子を示す平面図。
【図１２】更なる別例のポンプを示す一部断面斜視図。
【符号の説明】
【００５８】
１０…食器洗い機、２９…上側ポンプハウジング、３０…リングプレート、３０ａ…内周縁（吸入口）、３１…下側ポンプハウジング、３１ａ…周壁部、３４…収容空間、３５…羽根部材、３５ａ…外周縁、３８…羽根部、３９ａ…外周縁（吸入口）、４１…吸入通路、４１ａ…直線通路部、４１ｂ…円弧通路部、４１ｄ…斜面（ガイド手段）、４２…吸入部、４２ａ…吸入口、４３…羽根部材の回転平面、４５…第１吐出部、４５ａ…第１吐出口、４５ｂ…連結部、４６…第２吐出部、４６ａ…第２吐出口、４６ｂ…連結部、４７…流体通路、４７ａ…クリアランス、４８…誘導規制部、４８ａ…内面、４９…第１突壁部、４９ａ…内面、５０…第１狭小領域、５１…第２突壁部、５１ａ…内面、５２…第２狭小領域、６１…吸入用配管（吸入通路、吸入部）、６１ａ…先端部（吸入口）、Ｐ…ポンプ、Ｓ…軸線（所定軸線）。
【図１】
2006177330.tif 000003
【図２】
2006177330.tif 000004
【図３】
2006177330.tif 000005
【図４】
2006177330.tif 000006
【図５】
2006177330.tif 000007
【図６】
2006177330.tif 000008
【図７】
2006177330.tif 000009
【図８】
2006177330.tif 000010
【図９】
2006177330.tif 000011
【図１０】
2006177330.tif 000012
【図１１】
2006177330.tif 000013
【図１２】
2006177330.tif 000014